(57)【要約】【課題】  背後に配された表示装置の画面を透視させるために一部を透明な部材で構成した遊技盤において、気泡等の欠陥で不良品になるのを防ぐ。【解決手段】  遊技盤１は、表示装置の画面１６を臨ませるための画面窓２２に透光性の画面前置板３３をはめ込んである。画面前置板３３は、例えば射出成形等の発泡成形以外の成形方法で成形されるので、気泡のような欠陥が生じる可能性はきわめて小さいく、気泡のような欠陥で不良品になる可能性はきわめて小さい（歩留まりが高い）。また、たとえ成形時に欠陥が生じたとしても、その画面前置板３３だけを不良品として処理すればよいので、資材の無駄も小さくできる。【選択図】  図２
2006311904.tif 000002
【特許請求の範囲】
【請求項１】
少なくとも片面は平坦面であり、該平坦面に金属製のピンが立設された透光性の合成樹脂板が、前記平坦面を遊技者に対面させる姿勢で取り付けられており、
該合成樹脂板の背後に表示装置の画面が配される
ことを特徴とする遊技盤。
【請求項２】
請求項１記載の遊技盤において、
前記合成樹脂板は、前記平坦面と遊技盤の表面との間に段差を形成すること無く、遊技盤に取り付けられている
ことを特徴とする遊技盤。
【請求項３】
請求項１記載の遊技盤において、
前記合成樹脂板には、前面は前記平坦面と一連にされて外周から張り出したフランジ部が設けられ、
該フランジ部の背面を遊技盤の前面に接触させて、遊技盤に取り付けられている
ことを特徴とする遊技盤。
【発明の詳細な説明】
【技術分野】
【０００１】
本発明は、パチンコ機等の弾球遊技機の技術分野に属し、詳しくは弾球遊技機の遊技盤に関する。
【背景技術】
【０００２】
パチンコ機等の弾球遊技機の遊技盤には遊技球の進路を変化させるための遊技釘（障害釘とも言う）が打ち付けられるのが一般的である。また、遊技盤には（多くの場合中央部に）表示装置が取り付けられている。
【０００３】
特開平１１−０９９２４４号公報（特許文献１）には、ガスカウンタプレッシャー法により遊技盤を成形する際に、遊技盤の一部を薄くすることで発泡させずに透明部分を形成し、この透明部分の裏側に液晶装置を設置して液晶装置の画像を遊技盤に表示する技術が開示されている。
【特許文献１】特開平１１−０９９２４４号公報
【発明の開示】
【発明が解決しようとする課題】
【０００４】
ところで、表示装置の画像（画面）を大きくする場合には遊技盤の広い範囲を透明にする必要があるが、特許文献１の技術では透明にする部分を発泡させないので、遊技釘を打ち付け可能な領域がそれだけ減少することになる。つまり、遊技球の進路変化という、弾球遊技の本質的な要素のための領域が実質的に狭まるという問題がある。
【０００５】
表示装置が小型であれば、周知のようにワープやステージ等を用いることで済まされる。
しかし、例えば１４インチや１４インチ超というような大型の表示画面を採用する場合、ワープやステージ等を備えた枠体（いわゆるセンターケース）を使用したのでは、単に遊技釘が配置される領域が減少するだけでなく、センターケースの左右では遊技球が通過できる領域そのものが狭まってしまうという問題が生じる。遊技球が通過できる領域が狭ければ、そこでの遊技球のコースが単純化されてしまうので、遊技領域の上部のどこを狙って発射しても結果は大して変わらず、弾球遊技の本質が損なわれてしまう。
【０００６】
これに対しては、表示画面の前方領域も遊技球が通過可能にすることが考えられるが、特許文献１の技術では透明部分に遊技釘を打てないので、特許文献１の技術では対応できない。
【０００７】
また、特許文献１の技術の場合、遊技盤の一部を薄くすることで発泡させずに透明部分を形成するにしても、その透明部分にわずか１個でも気泡が発生すれば遊技盤全体が不良品となってしまう。そして、そのような気泡の発生を完全に防止することはきわめて難しいという問題もある。
【課題を解決するための手段】
【０００８】
請求項１記載の遊技盤は、少なくとも片面は平坦面であり、該平坦面に金属製のピンが立設された透光性の合成樹脂板が、前記平坦面を遊技者に対面させる姿勢で取り付けられており、該合成樹脂板の背後に表示装置の画面が配されるので、合成樹脂板の前方すなわち表示装置の画面の前方領域も遊技球が通過可能にでき、しかも合成樹脂板の平坦面に立設されたピンによって遊技球の進路を変化させることができる。
【０００９】
従って、遊技領域の実質的な広さを十分に確保できるから、遊技球の複雑な挙動を楽しむという弾球遊技の本質も確保できる。
また、合成樹脂板は、例えば射出成形、射出圧縮成形、押し出し成形等（要するに発泡成形以外の成形方法）で成形でき、これらの成形方法であれば気泡のような欠陥が生じる可能性はきわめて小さいから、気泡のような欠陥で不良品になる可能性はきわめて小さい（歩留まりが高い）。たとえ成形時に欠陥が生じたとしても、その合成樹脂板だけを不良品として処理すればよいので（遊技盤本体には影響しないから）、資材の無駄も小さくできる。
【００１０】
請求項２記載のように、前記合成樹脂板は、前記平坦面と遊技盤の表面との間に段差を形成すること無く、遊技盤に取り付けられている構成として、合成樹脂板の平坦面と遊技盤の表面とを実質的に一連の平面にすることができる。
【００１１】
また、請求項３記載のように、前記合成樹脂板には、前面は前記平坦面と一連にされて外周から張り出したフランジ部が設けられ、該フランジ部の背面を遊技盤の前面に接触させて、遊技盤に取り付けられている構成としてもよい。この場合、フランジ部の肉厚分だけ平坦面が遊技盤の表面から突出するので、請求項２の構成のように一連の平面にはならないが、遊技盤の表面に貼られた装飾シート（いわゆるセル）の端縁をフランジ部の背面で押さえて、めくれを防止できる。
【発明を実施するための最良の形態】
【００１２】
次に、本発明の実施例等により発明の実施の形態を説明する。なお、本発明は下記の実施例等に限定されるものではなく、本発明の要旨を逸脱しない範囲でさまざまに実施できることは言うまでもない。
［実施例］
本実施例の遊技盤１はパチンコ機用であり、図１に示すとおり、一部に切欠があるものの、ほぼ長方形をしている。この遊技盤１にはレールピン２１によって略円弧状のガイドレール２ａ、２ｂが取り付けられており、ガイドレール２ａ、２ｂによって囲まれた略円形の区画内が遊技領域４とされる。なお、ガイドレール２ａ、２ｂの先端間の切れ目部分は返しゴム（図示略）にて閉じられる。
【００１３】
遊技領域４の最下部には、遊技領域４を通過してきた遊技球をアウト球として排出するためのアウト穴５が設けられており、ガイドレール２ｂには遊技球をアウト穴５に誘導するための凹み２ｃが設けられている。
【００１４】
そのアウト穴５の上方には、開閉板６１によって開閉されるアタッカー式の大入賞口６が配されている。また、大入賞口６の左右斜め上には、それぞれ普通入賞口７、８が配されている。これら大入賞口６及び普通入賞口７、８は共通のベース板９に組み付けられて入賞口ユニット１０とされ、ビス１１にて遊技盤１に取り付けられている。本実施例では入賞口ユニット１０を採用しているが、大入賞口６、普通入賞口７、８をそれぞれ別々に遊技盤１に取り付けることもできる。
【００１５】
大入賞口６の上方には電動チューリップ式の可変入賞装置１２と始動入賞口１３とを備える複合入賞装置１４が設置されている。
図示するところから明らかなように、可変入賞装置１２が閉鎖状態（図示の状態）にあるときには、始動入賞口１３によって可変入賞装置１２への入賞を阻まれる（可変入賞装置１２へは、開放時しか入賞できない）。この可変入賞装置１２は、その左右に配されている通過口１５に遊技球が進入したことに起因する抽選で当たりになると開放される。
【００１６】
一方、始動入賞口１３に入賞した場合には大当たり抽選が行われ、これに応じて遊技盤１の背後に配されている表示装置（全体の図示は省略）の画面１６にて図柄の変動表示がなされる。なお、表示装置は遊技盤１と一体化されているわけでなく（遊技盤１の一部というわけではない）、詳細は後述するが、画面１６を画面窓２２にはめ込んだ姿勢で遊技盤１の背面部に取り付けられている。
【００１７】
大当たり抽選が当たりであれば、図柄の変動表示に続いて表示装置（画面１６）にて大当たりを示す表示が行われる。その大当たり表示がなされると大当たり遊技の開始となって、大入賞口６が開放される。なお、この表示装置は演出表示用であり、大当たり抽選の結果は図示省略の７セグメントＬＥＤによって表示されるが、表示装置（画面１６）の表示だけでも大当たりか否かを判別可能である。
【００１８】
遊技盤１には画面窓２２（画面１６）の上辺に対応するようにしてガード庇１７が取り付けられている。ガード庇１７は、上方からの遊技球が画面窓２２（画面１６の前方）に進入するのを防止するために（遊技球が画面の前方を通って視認性を阻害するのを防止するために）設置されている。また、画面窓２２（画面１６）の下辺に対応するようにして窓下装飾材１８が取り付けられ、窓下装飾材１８の左右には風車１９が配されている。
【００１９】
ガード庇１７及び窓下装飾材１８は、正確にではないが表示装置の画面１６の上下限界を、風車１９は左右限界を遊技者に示す働きもする。
図示するとおり、遊技領域４には多数の遊技釘２０が植設されている。
【００２０】
遊技領域４の中央上部（ガード庇１７の上方）にはいわゆる天釘として、普通入賞口７、８、始動入賞口１３及び通過口１５の直上にはいわゆる命釘として、それぞれ遊技釘２０が配置されている。また、左右の風車１９及び窓下装飾材１８の下方においては、遊技球を複合入賞装置１４又は通過口１５へと誘導するように、列状の遊技釘２０が配置されている。その他、配置密度に差があるものの、適宜に遊技釘２０が配されている。
【００２１】
さらに、金属製の乱路ピン２３も植設されており、遊技釘２０と同様に遊技球の進路を変化させる。
図２（ａ）に示すように、遊技盤１は前面板３１、背面部材３２及び合成樹脂板である画面前置板３３によって構成されている。
【００２２】
なお、図２では、遊技盤１を構成する前面板３１、背面部材３２、画面前置板３３、遊技釘２０、乱路ピン２３、レール２ａ、２ｂ、レールピン２１等の関係を簡明に説明するために、例えば遊技釘２０、乱路ピン２３及びレールピン２１は各１本だけを図示する等、省略ないし模式化してある。
【００２３】
まず、前面板３１は透明な合成樹脂（本実施例ではポリカーボネート）の平板であり、射出成形によって製造されている。また、上述の遊技領域４は前面板３１の面上に形成される。
【００２４】
図３に示すように、前面板３１は遊技盤１としての輪郭と同じ輪郭の略長方形の板材であり、板厚は約３ｍｍである。この、前面板３１には、画面窓２２の前半部２２ａ、入賞口ユニット１０、複合入賞装置１４及び通過口１５を取り付けるための取付穴６ａ、７ａ、１４ａ、１５ａが貫通して設けられ、上述のアウト穴５の前半部５ａも前面板３１を貫通して設けられている。
【００２５】
次に、図４に示す背面部材３２は合成樹脂（本実施例ではＡＢＳ）の射出成形品である躯体部３５と、これに取り付けられた釘打ブロック４１（遊技釘を打ち込み可能とされている部材）とで構成される。
【００２６】
躯体部３５の輪郭は前面板３１に整合するが、図４に示すように、内側には画面窓２２の後半部２２ｂが貫通して設けられている。この後半部２２ｂと上述の前半部２２ａとにより、図２に示すとおり一連の画面窓２２が形成されて、ここに画面前置板３３がはめ込み状態で取り付けられる。なお、図４には遊技釘２０を図示してあるが、これは背面部材３２（特に釘打ブロック４１）と遊技釘２０の位置関係を示すためである。
【００２７】
その躯体部３５にはリブ３６及び厚肉部３７が連続的に設けられており、それらに囲まれて薄肉の凹部３８が形成されている。そして、凹部３８の中にはブロック収容凹部３９があり（図４で遊技釘２０を図示してある凹部）、釘打ブロック４１がこれらに収容されて躯体部３５に固定されている。釘打ブロック４１の固定は、例えばビス止めや接着などによる。
【００２８】
なお、躯体部３５の厚み（リブ３６及び厚肉部３７）は約１６ｍｍ、薄肉部分（凹部３８、ブロック収容凹部３９）の肉厚は約３ｍｍ、釘打ブロック４１の板厚は約１３ｍｍである。
【００２９】
本実施例の釘打ブロック４１は、合成樹脂の発泡材であり、従来の合板（例えばベニヤ合板）製の遊技盤と同様に釘を打てる。また、強度及び打ち込まれた釘を保持する能力も合板製の遊技盤と同様である。なお、木材（合板も含む）や紙を圧縮成形したもの等を釘打ブロック４１に用いることもできる。
【００３０】
そして、遊技釘２０及び風車１９は、釘打ブロック４１に打ち込まれている。具体的には、図２（ｂ）に示すように、前面板３１に緩嵌穴４２が設けられていて、遊技釘２０（又は風車１９の軸釘）は、この緩嵌穴４２を貫通して釘打ブロック４１に打ち込まれている。
【００３１】
緩嵌穴４２の内径は遊技釘２０（又は風車１９の軸釘）の外径よりも十分に大きいが（本実施例では、遊技釘２０の外径の２倍に設定されている。）、遊技釘２０に接触した遊技球（直径約１１ｍｍ）の一部が遊技釘２０と緩嵌穴４２との隙間に入り込むことはない。つまり、緩嵌穴４２の形状及び寸法は、その中に挿通された遊技釘２０と緩嵌穴４２との間にできる隙間に遊技球の一部といえども進入できない限りにおいて制限はない。また、１つの緩嵌穴４２を複数の遊技釘２０で共用する（１つの緩嵌穴４２に複数の遊技釘２０を挿通させて釘打ブロック４１に打ち込む）ことも可能であるから、遊技釘２０同士の間隔が狭い場合には、このようにするとよい。
【００３２】
また、上述したとおり、前面板３１の板厚は約３ｍｍであるから、緩嵌穴４２と遊技釘２０との間に１ｍｍほどの隙間があれば、釘打ブロック４１に打ち込まれた遊技釘２０に４〜５度程度の仰角があっても問題にならない。
【００３３】
従って、緩嵌穴４２の形状及び寸法は、遊技釘２０と緩嵌穴４２との間にできる隙間に遊技球が入り込まないことで上限を規定し、遊技釘２０に所望の仰角を与えて打ち込めることで下限を規定すればよいことになる。但し、この隙間が大きすぎるのは見た目がよくないし、ときにはほこりなどが入り込む可能性もあるから、できるだけ小さい方がよく、一般的には０．５〜２．０ｍｍ程度（好ましくは１．０〜１．５ｍｍ程度）が推奨される。
【００３４】
図４に示すように、躯体部３５には上述のリブ３６及び厚肉部３７の他に、前面板３１の取付穴６ａ、７ａ、１４ａ、１５ａに対応する取付穴６ｂ、７ｂ、１４ｂ、１５ｂが貫通して設けられ、入賞口ユニット１０、複合入賞装置１４及び通過口１５は、前面板３１の取付穴６ａ、７ａ、１４ａ、１５ａと躯体部３５の取付穴６ｂ、７ｂ、１４ｂ、１５ｂとがそれぞれ連通状になって形成される貫通穴を用いて、遊技盤１に取り付けられている。また、躯体部３５にはアウト穴５の後半部５ｂも設けられており、前面板３１の前半部５ａと合わせてアウト穴５が形成されている。
【００３５】
また、躯体部３５にはレールピン２１のためのボス４９が立設されている（幾本かはリブ３６と一体化している）。各レールピン２１は、それぞれ対応するボス４９に打ち込まれて嵌着されている。但し、図２（ａ）に示すように、前面板３１にはレールピン２１のための緩嵌穴４２も設けられていて、レールピン２１は、この緩嵌穴４２を貫通してボス４９に打ち込まれている。
【００３６】
図１に示すように、乱路ピン２３は画面窓２２（画面１６）の前方に配置されており、これらはすべて画面前置板３３に植設されている。画面前置板３３は透明な合成樹脂（本実施例ではポリカーボネート）の射出成形品である。
【００３７】
図２（ａ）に示すとおり、画面前置板３３は平板状で、前面の平坦面３３ａが前面板３１の前面と実質一連の平面になるようにして、画面窓２２に緩み無くはめ込まれて図示省略のビスにより躯体部３５（画面窓２２の周部分）に固定されている。
【００３８】
乱路ピン２３と遊技釘２０とは、遊技釘２０には頭部（傘）があるが乱路ピン２３にはこれが存在しない点で異なるものの、材質と直径は同じである。また、乱路ピン２３には遊技釘２０のような仰角はなく、平坦面３３ａに垂直である点も異なる。
【００３９】
また、遊技釘２０は釘打ブロック４１に打ち込まれているが、乱路ピン２３は、画面前置板３３の成形時にインサートされて画面前置板３３に固定されている点でも異なる。
画面前置板３３は、図５に示すように成形金型を用いて成形されるが、成形金型の一方（例えば可動型）には乱路ピン２３を挿入するための挿入孔が設けられている。
【００４０】
型開時に、その挿入孔に乱路ピン２３の一部（画面前置板３３から突出する部分）を挿入し、脚部（画面前置板３３に内包される部分）を露出させておく。これに続いて型閉すると乱路ピン２３の脚部がキャビティ４５に突出した状態になり、そのキャビティ４５に溶融樹脂を充填する。この樹脂が固化すれば、乱路ピン２３の脚部が樹脂すなわち画面前置板３３に固着するので、乱路ピン２３が立設された画面前置板３３となる。型開してこれを取り出せば画面前置板３３の成形が完了する。
【００４１】
これを上述のように、画面窓２２に緩み無くはめ込んで躯体部３５に固定する。
以上説明したように、この遊技盤１は、少なくとも片面は平坦面３３ａであり、その平坦面３３ａに金属製の乱路ピン２３が立設された透光性の合成樹脂板である画面前置板３３が、平坦面３３ａを遊技者に対面させる姿勢で取り付けられており、画面前置板３３の背後に表示装置の画面１６が配されるので、画面前置板３３の前方すなわち表示装置の画面１６の前方領域も遊技球が通過可能にでき、しかも画面前置板３３の平坦面３３ａに立設された乱路ピン２３によって遊技球の進路を変化させることができる。
【００４２】
従って、遊技領域の実質的な広さを十分に確保できるから、遊技球の複雑な挙動を楽しむという弾球遊技の本質も確保できる。
また、画面前置板３３は、例えば射出成形や射出圧縮成形で成形でき、
成形時に気泡のような欠陥が生じる可能性はきわめて小さいから、気泡のような欠陥で不良品になる可能性はきわめて小さい（歩留まりが高い）。たとえ成形時に欠陥が生じたとしても、その画面前置板３３だけを不良品として処理すればよいので（遊技盤本体には影響しないから）、資材の無駄も小さくできる。
【００４３】
さらに、画面前置板３３は、平坦面３３ａと遊技盤１の表面との間に段差を形成すること無く、遊技盤１に取り付けられているので、画面前置板３３の平坦面３３ａと遊技盤１の表面とを実質的に一連の平面にすることができる。
【００４４】
なお、
図６に示すように、前面が平坦面３３ａと一連にされて外周から張り出したフランジ部４７を画面前置板３３に設け、画面前置板３３は、そのフランジ部４７の背面を遊技盤１の前面に接触させて、遊技盤１に取り付けられている構成としてもよい。この場合、フランジ部４７の肉厚分だけ平坦面３３ａが遊技盤１の表面から突出するので、上述のような一連の平面を形成するわけではないが、遊技盤１の表面に貼られた装飾シート（いわゆるセル）の端縁をフランジ部４７の背面で押さえて、めくれを防止できる。
【図面の簡単な説明】
【００４５】
【図１】実施例の遊技盤の正面図。
【図２】実施例の遊技盤を構成する各部を説明するための、一部簡略化した縦断面図。
【図３】実施例の前面板の正面図。
【図４】実施例の背面部材の正面図。
【図５】実施例の画面前置板の成形方法の例示図。
【図６】変形例の遊技盤を構成する各部を説明するための、一部簡略化した縦断面図。
【符号の説明】
【００４６】
１・・・遊技盤、
２ａ、２ｂ・・・ガイドレール、
４・・・遊技領域、
６ａ、６ｂ・・・取付穴、
１６・・・画面、
１９・・・風車、
２０・・・遊技釘、
２１・・・レールピン、
２２・・・画面窓、
２３・・・乱路ピン、
３１・・・前面板、
３２・・・背面部材、
３３・・・画面前置板、
３３ａ・・・平坦面、
３５・・・躯体部、
４１・・・釘打ブロック.
【図１】
2006311904.tif 000003
【図２】
2006311904.tif 000004
【図３】
2006311904.tif 000005
【図４】
2006311904.tif 000006
【図５】
2006311904.tif 000007
【図６】
2006311904.tif 000008